(57)【要約】【課題】電子ファインダ用の撮像センサで取得される取得画像に映り込む線画と、取得画像との間に位置ズレが生じている場合でも、線画の部位を際立たせる特定の表示を適切に表示できる撮像装置の技術を提供する。【解決手段】撮像装置は、撮影レンズを通った被写体光像をファインダ窓に導く光学ファインダの光路と共通する光路の共通区間を経て被写体光像を受光しライブビュー表示用の撮像画像を取得する電子ファインダ用の撮像センサを備えており、上記の共通区間にはターゲットマークＧｖが表されたスクリーンが設けられている。ここで、撮像画像に映り込んだターゲットマークＧｖの合焦箇所を示す合焦マークＧｆを表示する際には、撮像画像とターゲットマークＧｖとの位置ズレ情報に基づき表示画面１２ｆに対して合焦マークＧｆの表示位置を調整することで、その表示位置補正を行う。これにより、ライブビュー表示時に合焦マークＧｆを適切に表示できる。【選択図】図９
2009267592.tif 000002
【特許請求の範囲】
【請求項１】
撮影レンズを通った被写体光像を所定の光路に沿ってファインダ窓に導く光学ファインダ手段と、
前記所定の光路と共通する光路の区間を経て前記被写体光像を受光し画像を取得する撮像センサと、
本撮影の前に前記撮像センサで順次に取得される取得画像に基づく画像表示を表示画面で行わせる電子ファインダ手段と、
前記光路の区間に設けられた透光性の部材に表され前記取得画像に映り込む線画の部位を際立たせる特定の表示を、前記電子ファインダ手段による画像表示に重畳させて前記表示画面で表示させる表示制御手段と、
を備え、
前記線画には、前記取得画像の中心位置に対応する基準位置が規定されており、
前記表示制御手段は、
前記取得画像に映り込む線画に係る前記基準位置と当該取得画像の中心位置とに関する位置ズレ情報を取得する情報取得手段と、
前記位置ズレ情報に基づき、前記電子ファインダ手段による画像表示に対する前記特定の表示の相対位置を補正する表示位置補正を行う補正手段と、
を有する撮像装置。
【請求項２】
前記補正手段は、
前記位置ズレ情報に基づき、前記表示画面に対して前記特定の表示に係る表示位置を調整することにより、前記表示位置補正を行う表示位置補正手段、
を有する請求項１の撮像装置。
【請求項３】
前記電子ファインダ手段では、前記取得画像に設定される切り出し範囲から切り出された画像が前記表示画面で表示されるとともに、
前記補正手段は、
前記位置ズレ情報に基づき、前記取得画像に対して前記切り出し範囲の設定位置を調整することにより、前記表示位置補正を行う表示位置補正手段、
を有する請求項１の撮像装置。
【請求項４】
前記補正手段は、
前記電子ファインダ手段による画像表示中には、前記切り出し範囲の設定位置の変更を伴った前記表示位置補正手段による表示位置補正を禁止する一方、前記画像表示中でない場合には、前記切り出し範囲の設定位置の変更を許可する手段、
を有する請求項３の撮像装置。
【請求項５】
前記透光性の部材に投光する投光手段、
をさらに備えるとともに、
前記投光手段により投光された前記透光性の部材において前記線画で生じる反射・散乱光を前記撮像センサで受光可能となっており、
前記情報取得手段は、
前記線画からの反射・散乱光を受光した撮像センサで取得される取得画像において前記反射・散乱光に係る箇所を検出することで、前記位置ズレ情報を取得する手段、
を有する請求項１の撮像装置。
【請求項６】
前記情報取得手段は、
前記本撮影の前に前記撮像センサで順次に取得される取得画像に対しての画像処理により、前記取得画像に映り込んだ線画の箇所を検出することで、前記位置ズレ情報を取得する手段、
を有する請求項１の撮像装置。
【請求項７】
撮影レンズを通った被写体光像をファインダ窓に導く光学ファインダの光路と共通する光路の区間を経て前記被写体光像を受光し画像を取得する撮像センサに関して、当該撮像センサで本撮影の前に順次に取得される取得画像に基づく画像表示を、表示手段の表示画面で行わせる表示工程と、
前記光路の区間に設けられた透光性の部材に表され前記取得画像に映り込む線画の部位を際立たせる特定の表示を、前記表示工程による画像表示に重畳させて前記表示画面で表示させる表示制御工程と、
を備え、
前記線画には、前記取得画像の中心位置に対応する基準位置が規定されており、
前記表示制御工程は、
前記取得画像に映り込む線画に係る前記基準位置と当該取得画像の中心位置とに関する位置ズレ情報を取得する情報取得工程と、
前記位置ズレ情報に基づき、前記表示工程による画像表示に対する前記特定の表示の相対位置を補正する表示位置補正工程と、
を有する表示位置補正方法。
【請求項８】
撮像装置に内蔵されたコンピュータに、
撮影レンズを通った被写体光像をファインダ窓に導く光学ファインダの光路と共通する光路の区間を経て前記被写体光像を受光し画像を取得する撮像センサに関して、当該撮像センサで本撮影の前に順次に取得される取得画像に基づく画像表示を、表示手段の表示画面で行わせる表示工程と、
前記光路の区間に設けられた透光性の部材に表され前記取得画像に映り込む線画の部位を際立たせる特定の表示を、前記表示工程による画像表示に重畳させて前記表示画面で表示させる表示制御工程と、
を実行させ、
前記線画には、前記取得画像の中心位置に対応する基準位置が規定されており、
前記表示制御工程は、
前記取得画像に映り込む線画に係る前記基準位置と当該取得画像の中心位置とに関する位置ズレ情報を取得する情報取得工程と、
前記位置ズレ情報に基づき、前記表示工程による画像表示に対する前記特定の表示の相対位置を補正する表示位置補正工程と、
を有する表示位置補正プログラム。
【発明の詳細な説明】
【技術分野】
【０００１】
本発明は、光学ファインダと電子ファインダとを有する撮像装置の技術に関する。
【背景技術】
【０００２】
コンパクトタイプのデジタルカメラにおいては、構図決めを行うため、本撮影の前に撮像素子で順次に取得される被写体画像に基づくライブビュー表示を液晶モニタ等の表示画面で行わせる電子ファインダ機能を備えたものが多い。
【０００３】
一方、一眼レフタイプのデジタルカメラ(デジタル一眼レフカメラ)においては、構図決めを行うため、測距範囲などを示すターゲットマークが焦点板のスクリーンに表された光学ファインダが設けられている。
【０００４】
そして、デジタル一眼レフカメラ(撮像装置)では、例えば特許文献１に開示されるように、本撮影用の撮像素子（メイン撮像素子）の他に電子ファインダ用の撮像素子（サブ撮像素子）を設けて、光学ファインダと共通する光路の区間(共通区間)を経て被写体光を受光しライブビュー画像を取得するものも商品化されてきている。
【０００５】
【特許文献１】特開２００７−２２１２６８号公報
【発明の開示】
【発明が解決しようとする課題】
【０００６】
しかしながら、上記特許文献１の撮像装置では、製品出荷後に撮像装置がユーザの手許にわたってからの環境変化などの要因(後発的な要因)によって、ライブビュー表示時にサブ撮像素子で取得される画像の中心と、その画像に映り込むターゲットマーク(線画)の中心との間に位置ズレが生じる場合がある。具体的には、光学ファインダにおける光学系の誤差（例えば可動ミラーの位置決め誤差やターゲットマークが表されたスクリーンの位置ズレなど）やサブ撮像素子の位置ズレ等が後発的に発生することにより、上述の位置ズレが生じてしまう。このような場合、ターゲットマークでの合焦箇所を撮影者に伝えるためライブビュー画像に重畳させて合焦箇所を際立たせる合焦マークの表示を行うと、ライブビュー画像に映り込んだターゲットマークに対して合焦マークの位置ズレが発生することとなる。これでは、ライブビュー表示を視認する撮影者にストレスや違和感を与えてしまい、適切な合焦マークの表示とは言えない。
【０００７】
本発明は、上記課題に鑑みてなされたものであり、電子ファインダ用の撮像センサで取得される取得画像に映り込む線画(光学ファインダのターゲットマークなど)と、取得画像との間に位置ズレが生じている場合でも、線画の部位を際立たせる特定の表示を適切に表示できる撮像装置の技術を提供することを目的とする。
【課題を解決するための手段】
【０００８】
本発明の１つの側面は、撮像装置であって、撮影レンズを通った被写体光像を所定の光路に沿ってファインダ窓に導く光学ファインダ手段と、前記所定の光路と共通する光路の区間を経て前記被写体光像を受光し画像を取得する撮像センサと、本撮影の前に前記撮像センサで順次に取得される取得画像に基づく画像表示を表示画面で行わせる電子ファインダ手段と、前記光路の区間に設けられた透光性の部材に表され前記取得画像に映り込む線画の部位を際立たせる特定の表示を、前記電子ファインダ手段による画像表示に重畳させて前記表示画面で表示させる表示制御手段とを備え、前記線画には、前記取得画像の中心位置に対応する基準位置が規定されており、前記表示制御手段は、前記取得画像に映り込む線画に係る前記基準位置と当該取得画像の中心位置とに関する位置ズレ情報を取得する情報取得手段と、前記位置ズレ情報に基づき、前記電子ファインダ手段による画像表示に対する前記特定の表示の相対位置を補正する表示位置補正を行う補正手段とを有する。
【発明の効果】
【０００９】
本発明によれば、本撮影の前に、光学ファインダ手段において被写体光像をファインダ窓に導く所定の光路と共通する光路の区間を経て被写体光を受光する撮像センサで順次に取得される取得画像に映り込む線画の部位を際立たせる特定の表示を、電子ファインダ手段による画像表示に重畳させて表示画面で表示させる際には、取得画像に映り込む線画に係る基準位置と当該取得画像の中心位置とに関する位置ズレ情報を取得し、この位置ズレ情報に基づき画像表示に対する特定の表示の相対位置を補正する。その結果、電子ファインダ用の撮像センサで取得される取得画像に映り込む線画と、取得画像との間に位置ズレが生じている場合でも、特定の表示を適切に表示できる。
【発明を実施するための最良の形態】
【００１０】
＜第１実施形態＞
＜撮像装置の構成について＞
図１および図２は、本発明の第１実施形態に係る撮像装置１Ａの外観構成を示す図である。ここで、図１は、撮像装置１Ａの正面外観図であり、図２は、撮像装置１Ａの背面外観図である。この撮像装置１Ａは、レンズ交換式一眼レフレックスタイプのデジタルカメラとして構成されている。
【００１１】
図１に示すように、撮像装置１Ａは、カメラ本体部（カメラボディ）２を備えている。このカメラ本体部２に対して、交換式の撮影レンズである交換レンズ３の着脱が可能となっている。
【００１２】
交換レンズ３は、主として、鏡胴３６、ならびに鏡胴３６の内部に設けられるレンズ群３７(図５参照)及び絞り等によって構成される。レンズ群３７は、光学ズームに関するズーム倍率の変更が可能であり、光軸方向に移動することによって焦点位置を変更するフォーカスレンズを有している。
【００１３】
カメラ本体部２は、交換レンズ３が装着される円環状のマウント部Ｍｔを正面略中央に備え、交換レンズ３を着脱するための着脱ボタン８９を円環状のマウント部Ｍｔ付近に備えている。
【００１４】
また、カメラ本体部２は、その正面左上部にモード設定ダイヤル８２を備え、その正面右上部に制御値設定ダイヤル８６を備えている。モード設定ダイヤル８２を操作することによって、カメラの各種モード（各種撮影モード（人物撮影モード、風景撮影モード、およびフルオート撮影モード等）、撮影した画像を再生する再生モード、および外部機器との間でデータ交信を行う通信モード等を含む）の設定動作（切替動作）を行うことが可能である。また、制御値設定ダイヤル８６を操作することによれば、各種撮影モードにおける制御値を設定することが可能である。
【００１５】
また、カメラ本体部２は、正面左端部に撮影者が把持するためのグリップ部１４を備えている。グリップ部１４の上面には露光開始を指示するためのレリーズボタン１１が設けられている。グリップ部１４の内部には電池収納室とカード収納室とが設けられている。電池収納室にはカメラの電源として、例えば電池が収納されており、カード収納室には撮影画像の画像データを記録するためのメモリカード９０(図４参照)が着脱可能に収納されるようになっている。
【００１６】
レリーズボタン１１は、半押し状態（Ｓ１状態）と全押し状態（Ｓ２状態）の２つの状態を検出可能な２段階検出ボタンである。レリーズボタン１１が半押しされＳ１状態になると、被写体に関する記録用静止画像（本撮影画像）を取得するための準備動作（例えば、ＡＦ制御動作およびＡＥ制御動作等）が行われる。また、レリーズボタン１１がさらに押し込まれてＳ２状態になると、当該本撮影画像の撮影動作（撮像素子５（後述）を用いて被写体像（被写体の光像）に関する露光動作を行い、その露光動作によって得られた画像信号に所定の画像処理を施す一連の動作）が行われる。
【００１７】
図２において、カメラ本体部２の背面略中央上部には、ファインダ窓（接眼窓）１０が設けられている。撮影者は、ファインダ窓１０を覗くことによって、交換レンズ３から導かれた被写体の光像を視認して構図決定を行うことができる。すなわち、交換レンズ３を通った被写体光像をファインダ窓１０に導く光学ファインダを用いて、撮影者の構図決め動作が可能となる(後で詳述)。
【００１８】
ファインダ窓１０の下には、赤外光を発する投光ＬＥＤ１５１と受光センサ１５２とを備えた接眼検知部１５が配設されている。この接眼検知部１５により、図３に示すように投光ＬＥＤ１５１から発せられた赤外光ＩＲが撮影者の眼Ｅｙで反射され、この反射光を受光センサ１５２で検出できれば、撮影者の眼Ｅｙがファインダ窓１０に接近していることの検知(接眼検知)が可能となる。
【００１９】
図２において、カメラ本体部２の背面の略中央には、液晶モニタ１２が設けられている。液晶モニタ１２は、例えばカラー液晶ディスプレイ（ＬＣＤ）として構成される表示手段として機能し、画像表示が可能な表示画面１２ｆを備えて表示のオン状態(表示状態)と表示のオフ状態(非表示状態)との切換えが可能である。そして、液晶モニタ１２は、撮影条件等を設定するためのメニュー画面を表示したり、再生モードにおいてメモリカード９０に記録された撮影画像を再生表示したりすることができる。また、液晶モニタ１２では、撮像素子７（後述）によって取得された時系列の複数の画像（すなわち動画像）に基づくライブビュー表示が可能となっている。
【００２０】
液晶モニタ１２の左上部にはメインスイッチ８１が設けられている。メインスイッチ８１は２点スライドスイッチからなり、接点を左方の「ＯＦＦ」位置に設定すると、電源がオフになり、接点の右方の「ＯＮ」位置に設定すると、電源がオンになる。
【００２１】
液晶モニタ１２の左側には、メニュー画面の設定、画像の削除などを行うための複数のボタンからなる設定ボタン群８３が設けられている。
【００２２】
液晶モニタ１２の右側には方向選択キー８４が設けられている。この方向選択キー８４は円形の操作ボタンを有し、この操作ボタンにおける上下左右の４方向の押圧操作と、右上、左上、右下及び左下の４方向の押圧操作とが、それぞれ検出されるようになっている。なお、方向選択キー８４は、上記８方向の押圧操作とは別に、中央部のプッシュボタンの押圧操作も検出されるようになっている。
【００２３】
本実施形態の撮像装置１Ａでは、液晶モニタ１２に表示される本撮影前のライブビュー画像(プレビュー画像)を用いて構図決めを行うことも可能である(後で詳述)。
【００２４】
そして、方向選択キー８４の右下方に設けられる切替スイッチ８５によって、このライブビュー表示(電子ファインダ)による構図決め動作と上記の光学ファインダによる構図決め動作との切替えが可能である。具体的には、３点スライドスイッチとして構成される切替スイッチ８５において、接点を上方の「光学」位置に設定すると光学ファインダによる構図決め動作が選択されるとともに、接点を下方の「液晶」位置に設定すると液晶モニタ１２を用いたライブビュー表示(電子ファインダ)による構図決め動作が選択される。また、切替スイッチ８５において、接点を中央の「自動」位置に設定すると、接眼検知部１５での接眼検知の有無に応じて光学ファインダによる構図決め動作と電子ファインダによる構図決め動作とが自動的に切替えられる。
【００２５】
次に、図４を参照しながら、撮像装置１Ａの機能の概要について説明する。図４は、撮像装置１Ａの機能構成を示すブロック図である。
【００２６】
図４に示すように、撮像装置１Ａは、上述した交換レンズ３および液晶モニタ１２を備えるとともに、交換レンズ３を通った被写体光像を２つの撮像素子５、７に選択的に導光するためのミラー機構６を有している。
【００２７】
ミラー機構６は、後で詳述するように交換レンズ３の光軸から退避した状態（ミラーアップ状態）と光軸を遮断した状態（ミラーダウン状態）との状態切替が可能となっている。このミラー機構６の切替により、交換レンズ２を通った被写体光像を撮像素子５または、撮像素子７に導光できる。ここで、交換レンズ２を通った被写体光像を撮像素子７に導光する際には、後で詳述するＡＦモジュール２０への導光も行われる。
【００２８】
撮像素子５は、例えばＣＭＯＳセンサとして構成されており、受光面(撮像面)に結像された被写体の光像を光電変換作用によって電気的信号に変換し、本撮影画像に係る画像信号（記録用の画像信号）を生成する。すなわち、撮像素子５は、本撮影の際に被写体光像を受光し記録用の画像を取得する撮像センサとして機能する。そして、撮像素子５で生成された画像信号は、Ａ／Ｄ変換回路等を備えたアナログフロントエンド(ＡＦＥ)５０に出力される。
【００２９】
撮像素子５から出力された画像信号は、ＡＦＥ５０によってデジタル画像データ（画像データ）に変換される。この画像データは、例えばＣＰＵを備えて構成される信号処理部５１に入力される。
【００３０】
信号処理部５１は、ＡＦＥ５０から出力された画像データに対してデジタル信号処理を行い、撮像画像に係る画像データを生成する。この信号処理部５１では、画像データを構成する各画素データの黒レベルを基準の黒レベルに補正したり、画像のホワイトバランスを調整するなどの各種の画像処理が行われる。そして、各画像処理で生成される画像データを一時的に記憶するためのＲＡＭ５２が信号処理部５１とデータ伝送可能に設けられている。ＲＡＭ５２は、高速アクセス可能な画像メモリとして構成されており、複数フレーム分の画像データを記憶可能な容量を有している。
【００３１】
信号処理部５１でデジタル信号処理が施された画像データは、液晶モニタ１２の表示制御を行うモニタ制御部１３を介して液晶モニタ１２に画像表示させることが可能である。この画像表示によって、撮影画像を確認するための確認表示（アフタービュー）、および撮影済みの画像を再生する再生表示等が実現される。また、信号処理部５１においてデジタル信号処理が施されＲＡＭ５２に一時記憶される画像データは、信号処理部５１にてデータ圧縮処理等が施された後、記録媒体としてのメモリカード９０に記憶させることも可能である。
【００３２】
また、撮像装置１Ａは、撮像素子５とは別の撮像素子７（図５も参照）をさらに備えている。この撮像素子７は、本撮影の前に被写体光像を受光しライブビュー画像を取得する電子ファインダ用の撮像センサとしての役割を果たす。
【００３３】
この撮像素子７についても、撮像素子５と同様の構成を有している。ただし、撮像素子７は、ライブビュー表示用の画像信号（動画像）を生成するための解像度を有していればよく、通常、撮像素子５よりも少ない数の画素で構成される。
【００３４】
撮像素子７で取得された画像信号に対しても、撮像素子５で取得された画像信号と同様の信号処理が施される。すなわち、撮像素子７で取得された画像信号は、ＡＦＥ５０と同様の構成を備えたアナログフロントエンド(ＡＦＥ)７０でデジタルデータに変換された後、信号処理部５１でデジタル信号処理が施される。
【００３５】
また、撮像素子７で取得される時系列の画像(ライブビュー画像)は、信号処理部５１によりモニタ制御部１３を介して液晶モニタ１２に表示される。すなわち、信号処理部５１の制御動作により、本撮影の前に撮像素子７で順次に取得される被写体画像(取得画像)に基づく画像表示を液晶モニタ１２の表示画面１２ｆで行わせることで、構図決めを行うための動画的態様の表示（ライブビュー表示）が実現される。このライブビュー表示の際には、モニタ制御部１３のＯＳＤ（On Screen Display）機能を用いて液晶モニタ１２に合焦マークを表示させることが可能である（後で詳述）。
【００３６】
信号処理部５１は、自動焦点制御（ＡＦ）のために必要な制御を行う。すなわち、信号処理部５１は、ＡＦモジュール２０の出力信号を用いて位相差検出方式による焦点検出を行い、ＡＦアクチュエータ２１を駆動して交換レンズ３内のフォーカスレンズ(不図示)を合焦位置に移動させる。
【００３７】
信号処理部５１には、フラッシュＲＯＭ５３がデータ伝送可能に接続している。そして、フラッシュＲＯＭ５３には、コンピュータとして働く信号処理部６のＣＰＵで実行されることにより後述する合焦マークＧｆの表示位置補正を行う合焦表示補正プログラム(表示位置補正プログラム)ＰＧが格納されている。なお、メモリカード９０に記録されている合焦表示補正プログラムＰＧなどのプログラムデータを、フラッシュＲＯＭ５３にインストールすることで、そのプログラムを撮像装置１Ａの動作に反映できる。
【００３８】
撮像装置１Ａには、発光素子等を有して構成される投光部２２が設けられている。この投光部２２により後述する焦点板６３上のスクリーン６４に光を照射することで、ターゲットマークＧｖでの合焦箇所をファインダ窓１０を覗く撮影者に認識させることが可能となる。
【００３９】
＜撮像装置１Ａでの構図決め動作（フレーミング動作）について＞
つぎに、撮像装置１Ａにおける構図決め動作（フレーミング動作）について説明する。上述したように、撮像装置１Ａにおいては、光学ファインダを用いた構図決め（フレーミング）を行うことが可能であるとともに、液晶モニタ１２に表示されるライブビュー画像を用いた構図決め（電子ファインダによる構図決め）を行うことも可能である。
【００４０】
図５および図６は、撮像装置１Ａの断面図である。図５は、光学ファインダを用いた構図決め動作を示しており、図６は、電子ファインダを用いた構図決め動作を示している。
【００４１】
図５等に示すように、交換レンズ３から撮像素子５に至る光路（撮影光路）上にはミラー機構６が設けられている。ミラー機構６は、撮影光学系からの光を上方に向けて反射する主ミラー６１（主反射面）を有している。この主ミラー６１は、例えばその一部または全部がハーフミラーとして構成され、撮影光学系からの光の一部を透過する。また、ミラー機構６は、主ミラー６１を透過した光を下方に反射させるサブミラー６２（副反射面）をも有している。サブミラー６２により下方に反射された光は、ＡＦモジュール２０へと導かれて入射し、位相差方式のＡＦ動作に利用される。
【００４２】
撮影モードにおいてレリーズボタン１１が全押し状態Ｓ２にされるまで、換言すれば構図決めの際には、ミラー機構６はミラーダウン状態となるように配置される（図５および図６参照）。そして、この際には、交換レンズ３からの被写体像は、主ミラー６１で上方に反射され観察用光束としてペンタミラー６５に入射する。ペンタミラー６５は、複数のミラー（反射面）を有しており、被写体像の向きを調整する機能を有している。また、ペンタミラー６５に入射した後の、観察用光束の進路は、上記の両方式（すなわち光学ファインダ方式および電子ファインダ方式）のいずれが選択されて構図決めを行うかに応じて異なっている。これについては後述する。
【００４３】
一方、レリーズボタン１１が全押し状態Ｓ２にされると、ミラー機構６がミラーアップ状態となるように駆動されるとともにシャッターユニット４が開放され、露光動作が開始される。被写体に係る記録用静止画像を取得する際の動作（すなわち露光の際の動作）は、上記の両方式（すなわち光学ファインダ方式および電子ファインダ方式）による構図決めに共通である。
【００４４】
＜光学ファインダによる構図決め動作＞
次に、構図決めの際の上記両方式の各動作についてそれぞれ説明する。
【００４５】
まず、光学ファインダを用いた構図決め動作について説明する。
【００４６】
図５に示すように、ミラー機構６の主ミラー６１およびサブミラー６２が、交換レンズ３からの被写体像の光路上に配置されると、被写体像が主ミラー６１とペンタミラー６５と接眼レンズ６７とを介してファインダ窓１０へと導かれる。このような光学ファインダでは、主ミラー６１とペンタミラー６５と接眼レンズ６７とを含むファインダ光学系６０により、レンズ群（撮影光学系）３７からの光束であって主ミラー(主反射面)６１で反射された光束である観察用光束をファインダ窓１０へと導くことが可能である。
【００４７】
詳細には、交換レンズ３からの光は、主ミラー６１で反射されて上方に進路を変更し、透光性の部材として構成される焦点板６３において結像し、焦点板６３上に設けられたスクリーン６４を通過する。その後、スクリーン６４を通過した光は、ペンタミラー６５でその進路をさらに変更した後に接眼レンズ６７を通ってファインダ窓１０へ向かう（図５の光路ＰＡ参照）。このようにして、ファインダ窓１０を通過した被写体像は撮影者（観察者）の眼へ到達して視認される。すなわち、撮影者はファインダ窓１０を覗くことによって、被写体像を確認することができる。
【００４８】
ここにおいて、ペンタミラー６５は、三角屋根状に形成された２面のミラー（ダハミラー）６５ａ，６５ｂと、当該ダハミラー（ダハ面）６５ａ，６５ｂに対して固定された面６５ｃと、不図示のアクチュエータ(例えばモータ)によって軸ＡＸ１を中心とした回転駆動が可能なミラー（以下では「可動ミラー」ともいう）６５ｅとを有している。また、三角屋根状の２面のミラー６５ａ，６５ｂは、プラスチック成型により一体部品６５ｄとして形成されている。主ミラー６１で反射されて上方に進路を変更した光は、ダハミラー６５ａ，６５ｂで反射されて左右反転されて進行し、さらに可動ミラー６５ｅでも反射されることによって上下も反転されて撮影者の眼に到達する。このように、交換レンズ３において左右上下が反転されていた光像は、ペンタミラー６５でさらに左右上下が反転される。これにより、撮影者は、光学ファインダにおいて、その上下左右が実際の被写体と同じ状態で被写体像を観察することができる。
【００４９】
また、光学ファインダにおいては、例えば図７のように被写体に対してのフォーカス位置(エリア)や測光位置などを示す線画(線描画)として構成されるターゲットマークＧｖ(太線部)が被写体光像に重畳されてファインダ窓１０に映り込むようになっている。このターゲットマークＧｖは、ワイドフォーカスフレームを表す４つのＬ字状の線Ｌａ１〜Ｌａ４と、ローカルフォーカスフレームを表す８つの線分Ｌｂ１〜Ｌｂ８と、スポットフォーカスフレームを表す矩形線Ｌｃと、スポット測光サークルを表す２本の円弧状の線Ｌｄ１〜Ｌｄ２と、ワイドスクリーン（アスペクト比１６：９）に対応した領域を表す４つの線分Ｌｅ１〜Ｌｅ４とで構成されている。
【００５０】
撮像装置１Ａでは、上記ローカルフォーカスフレームを示す線分Ｌｂ１〜Ｌｂ８と上記スポットフォーカスフレームを示す矩形線Ｌｃとに対応する合計９箇所にＡＦモジュール２０の焦点検出センサが設けられており、これら９つの焦点検出センサを用いた被写体のピント合わせが可能となっている。そして、上記ワイドフォーカスフレームのフォーカスモードが選択される場合には、上記９つの焦点検出センサから多点ＡＦアルゴリズムに基づき自動的に選択される１つの焦点検出センサによるピント合わせが行われる。また、上記スポット測光サークルの測光モードが選択される場合には、円弧状の線Ｌｄ１、Ｌｄ２に囲まれた画面中央のスポット測光サークル内のみでの測光が行われる。
【００５１】
また、撮像素子５、７においてはアスペクト比４：３の画像信号が生成されるが、これをアスペクト比１６：９の画像信号とするには、横方向(水平方向)に伸びた２つの線分Ｌｅ１、Ｌｅ２を結ぶラインで画像の上端が制限されるとともに、横方向に伸びた２つの線分Ｌｅ３、Ｌｅ４を結ぶラインで画像の下端が制限されることとなる。
【００５２】
以上のようなターゲットマークＧｖは、透光性の部材として構成されるスクリーン６４の上面を罫書くことで描画されている。換言すれば、ターゲットマークＧｖに対応したスクリーン６４上の罫書き線により、ターゲットマークＧｖが被写体光像に重畳されてファインダ窓１０に映り込むこととなる。すなわち、被写体光像とともにファインダ窓１０に導かれるターゲットマークＧｖは、交換レンズ３を通った被写体光像をファインダ窓１０に導くファインダ光学系６０の光路ＰＡ上に設けられたスクリーン６４に表されている。そして、ＡＦモジュール２０を用いた合焦制御時には、ターゲットマークＧｖにおける８つの線分Ｌｂ１〜Ｌｂ８および矩形線Ｌｃに対応してスクリーン６４上に描かれた９つの罫書き部分のうち、合焦制御の対象となっている１つの罫書き部分に向けて投光部２２からの投光が行われる。これにより、図５に示す光路ＰＣに沿って投光部２２からの光がファインダ窓１０に導光され、ファインダ窓１０に表示される８つの線分Ｌｂ１〜Ｌｂ８および矩形線Ｌｃからなる９つの部位のうち合焦箇所に対応した１つの部位が例えば赤く表示されるため、撮影者は被写体に関する合焦箇所を認識することが可能となる。
【００５３】
また、主ミラー６１を透過した光はサブミラー６２で反射されて下方に進路を変更しＡＦモジュール２０へと進入する。ＡＦモジュール２０では、主ミラー６１およびサブミラー６２を介して進入してきた光を用いて測距動作が行われる。
【００５４】
＜電子ファインダによる構図決め動作＞
次に、電子ファインダを用いた構図決め動作について説明する。
【００５５】
この場合にも、図６に示すように、ミラー機構６の主ミラー６１およびサブミラー６２が、交換レンズ３からの被写体像の光路上に配置される。そして、交換レンズ３からの光は、主ミラー６１で反射されて上方に進路を変更し、焦点板６３において結像し、焦点板６３およびスクリーン６４を通過する。
【００５６】
ただし、この電子ファインダによる構図決め動作においては、焦点板６３およびスクリーン６４を通過した光は、ペンタミラー６５でその進路をさらに変更した後に、結像レンズ６９（結像光学系）を通過して撮像素子７の撮像面上で再結像する（図６の光路ＰＢ参照）。そして、撮像素子７では、光学ファインダ用の光路ＰＡ(図５)と電子ファインダ用の光路ＰＢ(図６)とで共通する光路の区間に図７に示すターゲットマークＧｖが表されたスクリーン６４が設けられているため、スクリーン６４を通過した被写体光像が受光され、ターゲットマークＧｖが重畳された被写体画像(合成画像)が取得されることとなる。なお、主ミラー６１で反射されて上方に進路を変更した光は、ダハミラー６５ａ，６５ｂで反射されて左右反転されて進行し、さらに可動ミラー６５ｅでも反射されることによって上下も反転され、さらに結像レンズ６９で上下左右反転されて撮像素子７に到達する。
【００５７】
より詳細には、図５と比較すると判るように、図６においては可動ミラー６５ｅの角度（カメラ本体部２に対する角度）が変更されている。具体的には、ミラー６５ｅは、図５の状態から、その下端側の軸ＡＸ１を中心に矢印ＡＲ１の向きに所定角度α回動している。すなわち、可動ミラー６５ｅの姿勢に関しては、主ミラー６１で反射された光束(観察用光束)をファインダ窓１０に向かって反射させる図５の姿勢Ｔａから、観察用光束を撮像素子７に向かって反射させる図６の姿勢Ｔｂへと切換えられる。
【００５８】
このように可動ミラー６５ｅの姿勢を変更することによって、可動ミラー６５ｅで反射される光（観察用光束）の反射角度が変更され、当該可動ミラー６５ｅによる反射光の進行経路が変更される。具体的には、図５の状態に比べて、可動ミラー６５ｅへの入射角度θ１が比較的小さくなり、反射角度θ２も比較的小さくなる。その結果、可動ミラー６５ｅの反射光は、接眼レンズ６７に向かう光路からダハミラー６５ａ，６５ｂ寄りの光路へとその進路を上方に変更し、結像レンズ６９を通過して撮像素子７に到達する。なお、結像レンズ６９および撮像素子７は、接眼レンズ６７よりも上方に配置されており、且つ、光学ファインダ使用時に可動ミラー６５ｅから接眼レンズ６７へと進行する光束を遮らない位置に配置されている。
【００５９】
また、可動ミラー６５ｅで反射された光束の進路は、可動ミラー６５ｅの変更角度αに応じて、その２倍の大きさの角度β（＝２×α）変更される。逆に言えば、反射光路の進行角度を角度β変更するために、可動ミラー６５ｅの回転角度は、当該角度βの半分の角度αで済む。すなわち、可動ミラー６５ｅの比較的小さな回転角度で可動ミラー６５ｅの反射光の進路を比較的大きく変更することが可能である。また、可動ミラー６５ｅと撮像素子７とは比較的離れて配置されているため、可動ミラー６５ｅの回転角度を小さく変更するだけで、可動ミラー６５ｅによる２つの反射光を、互いに離れて配置された接眼レンズ６７および撮像素子７へと確実に導くことが可能である。すなわち、可動ミラー６５ｅの回転角度を小さく変更することによって可動ミラー６５ｅによる反射光の光束を良好に２つの光路に選択的に進行させることが可能である。したがって、可動ミラー６５ｅの回転によるスペースの増大は最小限に止められる。
【００６０】
撮像素子７は、可動ミラー６５ｅで反射され結像レンズ６９を通過して撮像素子７に到達した被写体像に基づいて、ライブビュー画像を生成する。具体的には、主ミラー６１で反射された光束（観察用光束）を受光する撮像素子７において微小時間間隔（例えば、１／６０秒）で複数の画像信号を順次に生成する。そして、取得された時系列の画像信号は液晶モニタ１２において順次に表示(ライブビュー表示)される。これによって、撮影者は、液晶モニタ１２に表示される動画像（ライブビュー画像）を視認し、当該動画像を用いて構図決めを行うことが可能になる。
【００６１】
このライブビュー表示時においては、ファインダ窓１０からの距離が比較的近い撮像素子７にファインダ窓１０からの逆入光が回り込む等して撮像素子７で取得される被写体画像の画質を劣化させてしまう恐れがある。そこで、撮像装置１Ａでは、開閉動作を行うことによりファインダ窓１０から撮像装置１Ａ内に進入する外光を遮断する遮光状態と非遮光状態との切換えが可能なアイピースシャッタ１６をファインダ窓１０と接眼レンズ６７との間に設け、ライブビュー表示時(電子ファインダ使用時)にはアイピースシャッタ１６を閉状態Ｑｂ(図６)にしてファインダ窓１０からの逆入光を遮断する。
【００６２】
また、この場合も、光学ファインダによる構図決めの際（図５参照）と同様に、主ミラー６１とサブミラー６２とを介してＡＦモジュール２０に入射した光を用いてＡＦ動作が実現される。
【００６３】
以上のように、可動ミラー６５ｅで反射した後の観察用光束の進路は、可動ミラー６５ｅの反射角度の変更によって、可動ミラー６５ｅから接眼レンズ６７およびファインダ窓１０に向かう光路ＰＡ（図５）と、可動ミラー６５ｅから結像レンズ６９および撮像素子７に向かう光路ＰＢ（図６）との間で切り換えられる。換言すれば、当該観察用光束の進路は、可動ミラー６５ｅの反射角度の変更によって、可動ミラー６５ｅで反射されてファインダ窓１０に向かう第１の光路ＰＡと、可動ミラー６５ｅで反射されて撮像素子７に向かう第２の光路ＰＢとの間で切り換えられる。
【００６４】
そして、撮像装置１Ａにおいては、ペンタミラー６５を構成する複数のミラー６５ａ，６５ｂ，６５ｅのうち、或る反射面（可動ミラー６５ｅ）の反射角度が変更される一方で、他の反射面（ダハミラー６５ａ，６５ｂ）は固定されている。すなわち、複数の反射面のうち、一の反射面６５ｅのみを駆動することによって観察用光束の進路が変更されるので、駆動部分を少なくしコンパクトな構成にすることができる。また、撮像装置１Ａにおいては、ファインダ光学系６０のペンタミラー６５に含まれる複数の反射面のうち、ダハミラー６５ａ，６５ｂ以外の反射面である可動ミラー６５ｅの反射角度を変更して、観察用光束の進路を変更しているので、ダハミラー６５ａ，６５ｂを駆動する場合に比べて容易に観察用光束の進路を変更することができる。
【００６５】
以上のような構成の撮像装置１Ａにおいて、電子ファインダによる構図決めを撮影者が所望している場合には、可動ミラー６５ｅを図６に示す姿勢Ｔｂにセットして撮像素子７に向かう光路ＰＢを選択するとともに、液晶モニタ１２をオン状態（表示状態）にして撮像素子７から得られる画像信号に基づくライブビュー表示を行うようにする。この場合、撮像装置１Ａの筐体内にファインダ窓１０から外光が逆入すると撮像素子７(や撮像素子５)での露光に悪影響を及ぼすため、アイピースシャッタ１６を閉状態Ｑｂ(図６)にしてファインダ窓１０からの逆入光を遮断する。
【００６６】
一方、光学ファインダによる構図決めを撮影者が所望している場合には、可動ミラー６５ｅを図５に示す姿勢Ｔａにセットしてファインダ窓１０に向かう光路ＰＡを選択するようにする。この場合、接眼非検知時に閉状態Ｑｂであったアイピースシャッタ１６を開状態Ｑａ（図５）にして光路ＰＡを確保するとともに、接眼非検知時にオン状態であった液晶モニタ１２をオフ状態（非表示状態）にする。
【００６７】
＜ライブビュー表示時における合焦マークＧｆの表示位置補正＞
撮像装置１Ａは、上述のように撮像素子７で順次に取得される画像信号に基づき液晶モニタ１２でライブビュー表示を行う電子ファインダ機能を有しているが、このライブビュー表示時には被写体における合焦位置を撮影者に認識させるための表示を液晶モニタ１２で行わせることが可能となっている。
【００６８】
具体的には、光学ファインダ使用時には上述した投光部２２による合焦箇所の表示が可能となっているが、電子ファインダ使用時には、これに代わって図８に示すような合焦マークＧｆがモニタ制御部１３のＯＳＤ機能を用いてライブビュー画像に重畳表示される。すなわち、スクリーン６４に表されて撮像素子７で取得される被写体画像に映り込むターゲットマークＧｖの合焦部位を際立たせる合焦マークＧｆの表示が、電子ファインダによる画像表示に重畳させて液晶モニタ１２の表示画面１２ｆで表示される。これにより、４つのＬ字状の線からなる合焦マークＧｆに囲まれて強調されたターゲットマークＧｖの部分(図８では矩形線Lｃ)が、ピントの合っている箇所であることを撮影者が認識できることとなる。なお、ターゲットマークＧｖにおける８つの線分Ｌｂ１〜Ｌｂ８(図７)のうちの１つで合焦している場合には、その線分を囲むように合焦マークＧｆが表示される。
【００６９】
一方、ターゲットマークＧｖが描かれたスクリーン６４や撮像素子７の設置誤差、ミラーダウン状態の主ミラー６１や姿勢Ｔｂ(図６)の可動ミラー６５ｅの位置決め誤差（傾斜角度の誤差）等の誤差に起因して、撮像素子７で取得される画像の中心に対してターゲットマークＧｖの中心が相対的にずれる場合がある。そして、このような誤差は、スクリーン６４や撮像素子７の環境変化などによる後発的な要因により撮像装置１Ａに係る製品出荷後に発生する場合があり、この場合には、ターゲットマークＧｖのズレが発生してしまう。ここで、ターゲットマークＧｖにズレが生じた状態でライブビュー画像に合焦マークＧｆを重畳表示させると、例えば図９(ａ)に示すように矩形線Ｌｃを囲む合焦マークＧｆがずれることとなる。これでは、撮影者にストレスや違和感を与えてしまう。
【００７０】
そこで、本実施形態の撮像装置１Ａでは、撮像素子７で取得される撮像画像に映り込むターゲットマークＧｖの位置情報を取得して撮像画像の中心に対するターゲットマークＧｖのズレ量を検出し、このズレ量に応じた位置に合焦マークＧｆが表示されるようにモニタ制御部１３で合焦マークＧｆのＯＳＤ表示位置を補正することとする。このような合焦マークＧｆの表示位置補正により、例えば図９(ｂ)のように合焦位置の矩形線Ｌｃが合焦マークＧｆの中央に配置されるため、撮影者によるスムーズな合焦位置の把握が可能となる。このようにモニタ制御部１３でのＯＳＤ機能を用い表示画面１２ｆに対して合焦マークＧｆの表示に係る表示位置を調整することにより、１〜２画素程度の微小なズレ量でも適切な表示位置補正を行えるとともに、ライブビュー表示中に表示位置補正を行って合焦マークＧｆが移動しても表示画像の部分的な変化のため目立たずに済む。
【００７１】
以上の表示位置補正に必要なターゲットマークＧｖの位置情報の取得については、スクリーン６４に罫書き線として表されたターゲットマークＧｖに投光部２２から光を照射し、それを撮像素子７で撮像することにより撮像画像におけるターゲットマークＧｖの位置を検出する。具体的には、メインスイッチ８１への操作により開始された電源オフ処理中や撮影動作時などのミラー機構６のミラーアップ状態や、レンズキャップ等によりファインダ光学系６０を遮光した状態で、例えば矩形線Ｌｃを構成するスクリーン６４上の罫書き線に投光部２２からの投光を行う(図１０)。そして、投光されたスクリーン６４においてターゲットマークＧｖの矩形線Ｌｃの箇所で生じる反射光や散乱光を撮像素子７で受光し、その画像を撮像素子７で取得するようにする。これにより、図１１に示すようにターゲットマークＧｖの中央に配置された矩形線Ｌｃの部分がハイライトとなる画像Ｇｋが撮像素子７で取得される。そして、撮像素子７で取得された画像Ｇｋのうち高輝度部分の画素位置を検出すれば、ターゲットマークＧｖの中心位置を把握できる。このようにターゲットマークＧｖからの反射・散乱光を受光した撮像素子７で取得される画像Ｇｋにおいて反射・散乱光に係る箇所を検出することにより、ターゲットマークＧｖの位置情報が精度良く簡易に取得できることとなる。なお、このような手法を用いるのは必須でなく、次で説明する手法を用いてターゲットマークＧｖの位置情報を取得するようにしても良い。
【００７２】
図１２のように本撮影の前に撮像素子７で順次に取得される撮像画像に対しての画像処理により、撮像画像に映り込んだターゲットマークＧｖの箇所、例えば中央に配置される矩形線Ｌｃを検出することで、ターゲットマークＧｖの位置情報を取得する。より詳しくは、図１３に示す撮像画像Ｇｊの中央付近を拡大した拡大画像Ｇｍのように、矩形線Ｌｃが表される画素では、その周辺の画素より低輝度となるため、これを画像処理により検出することで、撮像画像におけるターゲットマークＧｖの中心位置が把握できる。このようなターゲットマークＧｖの位置情報取得をライブビュー表示中に繰り返し実行すれば、リアルタイムの位置情報取得が可能となり、ライブビュー表示中にターゲットマークＧｖの位置ズレが生じても対応できることとなる。
【００７３】
次に、ターゲットマークＧｖの位置情報の取得について具体的な手順を説明する。
【００７４】
図１４は、ターゲットマークＧｖの位置情報の取得手順を示すフローチャートである。
【００７５】
ステップＳＰ１では、特定の状態、具体的には図１０のようにファインダ光学系６０を遮光し投光部２２からスクリーン６４上の罫書き線に投光している状態や、図１２のように電子ファインダを使用している状態にして、撮像素子７による撮像動作を行う。
【００７６】
ステップＳＰ２では、撮像素子７で取得された撮像画像から、上述のようにターゲットマークＧｖの中心位置(中心点)を検出する。すなわち、撮像画像の中心位置(中心点)に対応した位置として規定されるターゲットマークＧｖの基準位置、具体的にはターゲットマークＧｖの中央に配置された矩形線Ｌｃの中心位置に関する撮像画像上の座標値が検出される。
【００７７】
ステップＳＰ３では、ステップＳＰ２で検出されたターゲットマークＧｖの中心位置の情報をフラッシュＲＯＭ５３に保存する。
【００７８】
以上により、フラッシュＲＯＭ５３にターゲットマークＧｖの位置情報が記憶されるため、この位置情報をライブビュー時における合焦マークＧｆの表示に反映すれば、撮影者にストレスを与えない合焦マークＧｆの良好な表示が可能となる。
【００７９】
次に、以上のようなライブビュー表示時における合焦マークＧｆの表示位置補正を行う撮像装置１Ａの具体的な動作について説明する。
【００８０】
＜撮像装置１Ａの動作＞
図１５は、撮像装置１Ａの基本的な動作を示すフローチャートである。この動作については、信号処理部５１によって実行される。
【００８１】
メインスイッチ８１へのユーザ操作で撮像装置１Ａの電源がオンにされると、切替スイッチ８５が「自動」位置に設定されているかを判定する(ステップＳＴ１)。ここで、「自動」位置に設定されている場合には、ステップＳＴ２に進み、「自動」位置以外の位置に設定されている場合には、ステップＳＴ３に進む。
【００８２】
ステップＳＴ２では、接眼検知部１５でファインダ窓１０に対する接眼が検知されたかを判定する。ここで、接眼が検知された場合には、ステップＳＴ４に進み、接眼が検知されない場合には、ステップＳＴ７に進む。
【００８３】
ステップＳＴ３では、切替スイッチ８５が「液晶」位置に設定されているかを判定する。ここで、「液晶」位置に設定されている場合には、ステップＳＴ７に進み、「液晶」位置ではなく「光学」位置に設定されている場合には、ステップＳＴ４に進む。
【００８４】
ステップＳＴ４では、ペンタミラー６５における可動ミラー６５ｅを図５に示す姿勢Ｔａにして、交換レンズ３から入射した被写体光をファインダ窓１０に導光する。
【００８５】
ステップＳＴ５では、アイピースシャッタ１６を開放して図５に示す開状態Ｑａにする。
【００８６】
ステップＳＴ６では、光学ファインダが使用されているため、液晶モニタ１２の表示をオフにする。
【００８７】
ステップＳＴ７では、ペンタミラー６５における可動ミラー６５ｅを図６に示す姿勢Ｔｂにして、交換レンズ３から入射した被写体光を撮像素子７に導光する。
【００８８】
ステップＳＴ８では、アイピースシャッタ１６を閉止して図６に示す閉状態Ｑｂにする。
【００８９】
ステップＳＴ９では、液晶モニタ１２でライブビュー表示を行う。本動作については、以下で詳述する。
【００９０】
図１６は、ステップＳＴ９の動作に対応しており、ライブビュー表示に関する動作を示すフローチャートである。この動作については、合焦表示補正プログラムＰＧが信号処理部５１のＣＰＵで実行されることによって実施される。
【００９１】
ステップＳＴ１１では、ライブビュー表示される被写体画像を撮像素子７で取得する。
【００９２】
ステップＳＴ１２では、ターゲットマークＧｖのうち合焦している合焦箇所の情報を取得する。すなわち、ローカルフォーカスフレームを示す線分Ｌｂ１〜Ｌｂ８とスポットフォーカスフレームを示す矩形線Ｌｃとに対応するＡＦモジュール２０の各焦点検出センサのうち、合焦制御のために選択された１つの焦点検出センサで焦点検出されるターゲットマークＧｖの箇所を把握する。
【００９３】
ステップＳＴ１３では、フラッシュＲＯＭ５３に記憶されているターゲットマークＧｖの位置情報を読み出し、ステップＳＴ１１で取得された被写体画像に映り込むターゲットマークＧｖの中心位置を特定する。
【００９４】
ステップＳＴ１４では、ステップＳＴ１３で特定されたターゲットマークＧｖの中心位置に基づき、ステップＳＴ１２で情報取得したターゲットマークＧｖの合焦箇所を囲むように合焦マークＧｆを被写体画像に重畳表示する。具体的には、撮像素子７で取得された被写体画像(取得画像)の中心位置とターゲットマークＧｖの中心位置とのズレ量を算出し、このズレ量による合焦マークＧｆの表示位置補正をモニタ制御部１３で行う。すなわち、取得画像に映り込むターゲットマークＧｆの中心位置と、この取得画像の中心位置とに関する位置ズレ情報を取得し、この位置ズレ情報に基づきライブビュー表示に対する合焦マークＧｆの表示の相対位置を補正する表示位置補正が行われる。
【００９５】
以上のような撮像装置１Ａの動作により、ライブビュー表示時には、撮像素子７で取得される被写体画像に映り込むターゲットマークＧｖの位置ズレ情報に基づき合焦マークＧｆに関する表示位置補正を行う。その結果、被写体画像に映り込むターゲットマークＧｖと、その被写体画像との間に位置ズレが生じている場合でも、ライブビュー表示を視認する撮影者にストレスや違和感を与えることなく、適切な合焦マークＧｆの表示を行える。
【００９６】
また、撮像装置１Ａでは、スクリーン６４への投光部２２からの投光や撮像画像に対しての画像処理により、ターゲットマークＧｖの位置情報を取得できるため、製品出荷後に撮像装置がユーザの手許にわたってから後発的にターゲットマークＧｖに関する位置ズレが生じても、これに対応した適切な合焦マークＧｆの表示位置補正が可能である。
【００９７】
＜第２実施形態＞
本発明の第２実施形態に係る撮像装置１Ｂは、図１〜２および図４に示す第１実施形態の撮像装置１Ａと類似の構成を有しているが、フラッシュＲＯＭ５３に格納される合焦表示補正プログラムの内容が異なっている。
【００９８】
すなわち、撮像装置１ＢのフラッシュＲＯＭ５３には、次で説明するライブビュー表示時における合焦マークＧｆの表示位置補正を信号処理部５１のＣＰＵで実行するための合焦表示補正プログラムＰＧａが格納されている。
【００９９】
＜ライブビュー表示時における合焦マークＧｆの表示位置補正＞
本実施形態の撮像装置１Ｂでは、撮像装置１Ａと同様の手法で、撮像素子７で取得される撮像画像に映り込むターゲットマークＧｖの位置情報を取得して撮像画像の中心に対するターゲットマークＧｖのズレ量を検出する。そして、検出したズレ量に基づきライブビュー表示において合焦マークＧｆが適切に表示されるように、モニタ制御部１３により液晶モニタ１２に表示するライブビュー画像についての撮像画像からの切出し位置を調整することとする。例えば、図１７(ａ)のようにターゲットマークＧｖの位置ズレがない場合には、撮像画像Ｇｏの中央にライブビュー画像の切り出し範囲Ｋｏを設定し、この切り出し範囲Ｋｏから切り出された画像を表示画面１２ｆでライブビュー表示させる。一方、図１７(ｂ)のようにターゲットマークＧｖの位置ズレがある場合には、そのズレ量に応じたライブビュー画像の切り出し範囲Ｋｐを設定するようにする。これにより、ライブビュー画像の中心位置とターゲットマークＧｖの中心位置とが合致するため、表示画面１２ｆに対して位置ズレが生じずに表示されるターゲットマークＧｖの合焦箇所に合焦マークＧｆを表示すれば、ライブビュー表示において適切な合焦マークＧｆの表示が可能となる。このように撮像画像Ｇｏに対してライブビュー画像の切り出し範囲Ｋｐの設定位置を調整する場合には、ライブビュー表示の処理として必ず実行されるライブビュー画像の切り出し処理を利用できるため、合焦マークＧｆの表示位置補正に必要な構成を簡易に実現できる。
【０１００】
ただし、上記の切り出し範囲Ｋｐの変更を伴った合焦マークＧｆの表示位置補正をライブビュー表示中に行うと表示画像全体が突如変化するため、それを視認した撮影者に違和感を与える可能性がある。そこで、ライブビュー表示中に合焦マークＧｆの表示位置補正を行う場合には、切り出し範囲Ｋｐの設定位置の変更を伴った合焦マークＧｆの表示位置補正を禁止し、第１実施形態で説明した表示画面１２ｆに対する合焦マークＧｆの位置変更を伴った表示位置補正を行うようにする。一方、撮像装置１Ｂの起動時や切替スイッチ８５によるライブビューモードへの移行時などライブビュー表示中でない場合にターゲットマークＧｆの位置ズレが検出されたときなどには、その位置ズレに応じた切り出し範囲Ｋｐの設定位置の変更を許可してライブビュー表示の開始時には合焦マークＧｆが適切に表示されるようにするのが好ましい。
【０１０１】
次に、以上のようなライブビュー表示時における合焦マークＧｆの表示位置補正を行う撮像装置１Ｂの具体的な動作について説明する。
【０１０２】
＜撮像装置１Ｂの動作＞
撮像装置１Ｂの基本的な動作については、図１５に示す第１実施形態の撮像装置１Ａの動作と類似しているが、そのうちのライブビュー表示に関する動作が異なっている。
【０１０３】
すなわち、撮像装置１Ｂで実施されるステップＳＴ９ａ(図１５)の動作については、次で説明するフローチャートの動作が行われる。
【０１０４】
図１８は、撮像装置１Ｂでのライブビュー表示に関する動作を示すフローチャートである。
【０１０５】
ステップＳＴ２１〜ＳＴ２３では、図１６に示すステップＳＴ１１〜ＳＴ１３と同様の動作を行う。
【０１０６】
ステップＳＴ２４では、ステップＳＴ２３で特定されたターゲットマークＧｖの中心位置に基づき、撮像素子７で取得した被写体画像からライブビュー画像を切り出す。例えば図１７(ｂ)に示すように、ターゲットマークＧｖの中心位置が被写体画像Ｇｏの中心位置とずれている場合には、ターゲットマークＧｖの中心位置にライブビュー画像の切り出し範囲Ｋｐの中心位置を合致させるようにライブビュー画像の切り出し範囲Ｋｐが設定される。
【０１０７】
ステップＳＴ２５では、ステップＳＴ２４で切り出されたライブビュー画像に対してステップＳＴ２２で情報取得したターゲットマークＧｖの合焦箇所を囲むように合焦マークＧｆを重畳表示する。この場合には、表示画面１２ｆにターゲットマークＧｖが正しく表示されているとして、モニタ制御部１３により合焦マークＧｆをライブビュー画像に重畳して表示する。
【０１０８】
以上のような撮像装置１Ｂの動作により、ライブビュー表示時には、撮像素子７で取得される被写体画像に映り込むターゲットマークＧｖの位置ズレ情報に基づきライブビュー画像の切り出し範囲Ｋｐの設定位置を調整して合焦マークＧｆに関する表示位置補正を行う。その結果、被写体画像に映り込むターゲットマークＧｖと、その被写体画像との間に位置ズレが生じている場合でも、ライブビュー表示を視認する撮影者にストレスや違和感を与えることなく、適切な合焦マークＧｆの表示を行える。
【０１０９】
＜変形例＞
・上記の各実施形態におけるターゲットマークＧｖについては、矩形線Ｌｃを中心に８つの線分Ｌｂ１〜Ｌｂ８を放射状に配置するのは必須でなく、偏った配置（例えば図７に示すターゲットマークＧｖにおいて矩形線Ｌｃより下方の部位が描かれていないものなど）にしても良い。この場合には、撮像素子７で取得された撮像画像の中心位置に対応するターゲットマークＧｖの基準位置は、ターゲットマークＧｖ全体についての中心位置ではなく、撮像画像の中心位置(中心点)に合致させるべきターゲットマークＧｖの位置となる。
【０１１０】
・上記の各実施形態におけるターゲットマークＧｖ(図７)については、罫書くことでスクリーン６４に表すのは必須でなく、印刷技術(プリント)によってスクリーン６４に表すようにしても良い。
【図面の簡単な説明】
【０１１１】
【図１】本発明の第１実施形態に係る撮像装置１Ａの外観構成を示す図である。
【図２】撮像装置１Ａの外観構成を示す図である。
【図３】接眼検知部１５における接眼検知の原理を説明するための図である。
【図４】撮像装置１Ａの機能構成を示すブロック図である。
【図５】光学ファインダによる構図決め動作を示す断面図である。
【図６】電子ファインダによる構図決め動作を示す断面図である。
【図７】ファインダ窓１０に映り込むターゲットマークＧｖを示す図である。
【図８】液晶モニタ１２の表示画面１２ｆに表示される合焦マークＧｆを説明するための図である。
【図９】合焦マークＧｆの表示位置補正を説明するための図である。
【図１０】ターゲットマークＧｖの位置情報の取得について説明する図である。
【図１１】ターゲットマークＧｖの位置情報の取得について説明する図である。
【図１２】ターゲットマークＧｖの位置情報の取得について説明する図である。
【図１３】ターゲットマークＧｖの位置情報の取得について説明する図である。
【図１４】ターゲットマークＧｖの位置情報の取得手順を示すフローチャートである。
【図１５】撮像装置１Ａの基本的な動作を示すフローチャートである。
【図１６】ライブビュー表示に関する動作を示すフローチャートである。
【図１７】本発明の第２実施形態に係る撮像装置１Ｂにおける合焦マークＧｆの表示位置補正を説明するための図である。
【図１８】撮像装置１Ｂでのライブビュー表示に関する動作を示すフローチャートである。
【符号の説明】
【０１１２】
１Ａ、１Ｂ  撮像装置
２  カメラ本体部
３  交換レンズ
５、７  撮像素子
６  ミラー機構
１０  ファインダ窓
１２  液晶モニタ
１２ｆ  表示画面
１３  モニタ制御部
１５  接眼検知部
２２  投光部
５０、７０  アナログフロントエンド(ＡＦＥ)
５１  信号処理部
５２  ＲＡＭ
５３  フラッシュＲＯＭ
６０  ファインダ光学系
６３  焦点板
６４  スクリーン
６５  ペンタミラー
６５ｅ  可動ミラー
８５  切替スイッチ
Ｋｏ、Ｋｐ  ライブビュー画像の切り出し範囲
Ｇｆ  合焦マーク
Ｇｖ  ターゲットマーク
ＰＧ、ＰＧａ  合焦表示補正プログラム
【図１】
2009267592.tif 000003
【図２】
2009267592.tif 000004
【図３】
2009267592.tif 000005
【図４】
2009267592.tif 000006
【図５】
2009267592.tif 000007
【図６】
2009267592.tif 000008
【図７】
2009267592.tif 000009
【図８】
2009267592.tif 000010
【図９】
2009267592.tif 000011
【図１０】
2009267592.tif 000012
【図１１】
2009267592.tif 000013
【図１２】
2009267592.tif 000014
【図１３】
2009267592.tif 000015
【図１４】
2009267592.tif 000016
【図１５】
2009267592.tif 000017
【図１６】
2009267592.tif 000018
【図１７】
2009267592.tif 000019
【図１８】
2009267592.tif 000020